(57)【要約】【課題】本発明は、文字等の要素の入力のために割り当てられるキーが少ない場合であっても、要素を容易に入力することができ、操作性を向上させることができる入力装置を提供することを目的とする。【解決手段】本発明は、所定の順番で配列された複数の要素によって構成されるコード表に従って要素を入力する入力装置であって、要素の入力位置を移動させる位置選択キーと、前記コード表に従って、入力される要素を選択する要素選択キーとを備え、前記要素選択キーを所定の条件で操作すると、現在選択されている要素の一つ隣の要素を選択可能であり、前記要素選択キーを前記所定の条件とは異なる条件で操作すると、現在選択されている要素から一つ以上離れた要素を選択可能であることを特徴とする。【選択図】  図４
2012067963.tif 000002
【特許請求の範囲】
【請求項１】
所定の順番で配列された複数の要素によって構成されるコード表に従って要素を入力する入力装置であって、
要素の入力位置を移動させる位置選択キーと、
前記コード表に従って、入力される要素を選択する要素選択キーとを備え、
前記要素選択キーを所定の条件で操作すると、現在選択されている要素の一つ隣の要素を選択可能であり、
前記要素選択キーを前記所定の条件とは異なる条件で操作すると、現在選択されている要素から一つ以上離れた要素を選択可能であることを特徴とする入力装置。
【請求項２】
前記位置選択キーとして、要素の入力位置を進める方向と戻す方向とに移動させる二つの位置選択キーを備え、
前記要素選択キーとして、入力される要素を昇順又は降順に選択する二つの要素選択キーとを備えることを特徴とする請求項１に記載の入力装置。
【請求項３】
行によって区分される仮名文字を要素として含むコード表に従って要素を入力可能であり、
前記要素選択キーを所定の条件で操作すると、仮名文字をコード表の順番に従って選択可能であり、
前記要素選択キーを前記所定の条件とは異なる条件で操作すると、現在選択されている仮名文字が属する行の隣の行に属する仮名文字を選択可能に構成されることを特徴とする請求項１又は２に記載の入力装置。
【請求項４】
数字を要素として含むコード表に従って要素を入力可能であることを特徴とする請求項１〜３の何れか一項に記載の入力装置。
【請求項５】
前記要素として仮名文字を入力可能な仮名文字入力モードと、前記要素として数字を入力可能な数字入力モードとが設けられることを特徴とする請求項１〜４の何れか一項に記載の入力装置。
【請求項６】
請求項１〜５の何れか一項に記載の入力装置を備えることを特徴とする給湯機。
【発明の詳細な説明】
【技術分野】
【０００１】
本発明は、入力装置及び給湯機に関する。
【背景技術】
【０００２】
従来、文字等の要素を入力する入力装置が存在する。このような入力装置として、例えば携帯電話機では、ア行，サ行等の各行に対して異なる操作キーが割り当てられている。
【先行技術文献】
【特許文献】
【０００３】
【特許文献１】特開２００５−１８２３９５号公報
【発明の概要】
【発明が解決しようとする課題】
【０００４】
しかしながら、例えば給湯機のリモコンのように要素の入力の頻度が少ない操作装置では、文字等の要素の入力のために割り当てられるキーも少ないのが一般的であり、入力が困難であるという問題がある。
【０００５】
そこで、本発明は、文字等の要素の入力のために割り当てられるキーが少ない場合であっても、要素を容易に入力することができ、操作性を向上させることができる入力装置及び給湯機を提供することを目的とする。
【課題を解決するための手段】
【０００６】
本発明は、所定の順番で配列された複数の要素によって構成されるコード表に従って要素を入力する入力装置であって、要素の入力位置を移動させる位置選択キーと、前記コード表に従って、入力される要素を選択する要素選択キーとを備え、前記要素選択キーを所定の条件で操作すると、現在選択されている要素の一つ隣の要素を選択可能であり、前記要素選択キーを前記所定の条件とは異なる条件で操作すると、現在選択されている要素から一つ以上離れた要素を選択可能であることを特徴とする。
【発明の効果】
【０００７】
本発明によれば、文字等の要素の入力のために割り当てられるキーが少ない場合であっても、要素を容易に入力することができ、操作性を向上させることができる。
【図面の簡単な説明】
【０００８】
【図１】本発明の実施形態に係る入力装置を示す。
【図２】本発明の実施形態に係る他の入力装置を示す。
【図３】実施例１に係る入力装置に用いられる仮名コード表を示す。
【図４】実施例１に係る入力装置を用いて文字を入力する際の操作例を示す。
【図５】実施例２に係る入力装置に用いられる数字コード表を示す。
【発明を実施するための形態】
【０００９】
以下、本発明の実施形態に係る入力装置について説明する。
【００１０】
本実施形態に係る入力装置は、給湯機の操作端末に備えられるものである。この入力装置は、所定の順番で配列された複数の要素によって構成されるコード表に従って要素を入力する入力装置である。
【００１１】
入力装置は、図１，図２に示すように、要素の入力位置を移動させる位置選択キーと、前記コード表に従って、入力される要素を選択する要素選択キーとを備える。具体的には、前記入力装置は、前記位置選択キーとして、要素の入力位置を進める方向と戻す方向とに移動させる二つの位置選択キー４，５とを備え、前記要素選択キーとして、入力される要素を昇順又は降順に選択する二つの要素選択キー２，３とを備える。なお、図１に示す入力装置は、一般的に台所リモコンと呼ばれるものであり、図２に示す入力装置は、一般的に風呂リモコンと呼ばれるものである。
【００１２】
前記入力装置は、上下左右のキーによって構成されるいわゆる十字キーを有するものである。そして、前記位置選択キー４，５は、それぞれ十字キーの左キー，右キーに対応し、前記要素選択キー２，３は、それぞれ十字キーの上キー，下キーに対応する。また、前記入力装置には、入力が完了したときに設定内容を決定する為の決定キー６が備えられている。
【００１３】
また、前記入力装置は、表示部１を備えるリモコン等の操作端末に内蔵されており、入力装置での操作内容は、前記表示部１において確認可能となっている。
【００１４】
次に、この入力装置の操作について説明する。
【００１５】
この入力装置は、前記要素選択キー２，３を所定の条件で操作すると、現在選択されている要素の一つ隣の要素を選択可能であり、前記要素選択キー２，３を前記所定の条件とは異なる条件で操作すると、現在選択されている要素から一つ以上離れた要素を選択可能である。
【００１６】
具体的には、前記所定の条件とは、要素選択キーを所定の時間（例えば２秒）より短い時間押すことであり、前記所定の条件とは異なる条件とは、要素選択キーを所定の時間（例えば２秒）以上押す、いわゆる長押しを行うことである。
【実施例１】
【００１７】
次に、実施例１に係る入力装置に関して説明する。この入力装置は、行によって区分される仮名文字を要素として含むコード表に従って要素を入力可能である。なお、この入力装置は、例えば給湯機が故障した際に操作端末に連絡先名を表示することが可能な給湯機において、連絡先名を入力する際に用いられる。
【００１８】
この入力装置は、前記要素選択キー２，３を所定の条件で操作すると、仮名文字をコード表の順番に従って選択可能であり、前記要素選択キー２，３を前記所定の条件とは異なる条件で操作すると、現在選択されている仮名文字が属する行の隣の行に属する仮名文字を選択可能に構成される。
【００１９】
この入力装置に用いられるコード表は、図３に示すものであり、行によって区分される仮名文字を要素として含む仮名コード表である。具体的には、仮名コード表には、ア行〜ワ行，ガ行，ザ行，ダ行，バ行，パ行の各段の仮名文字と、「ャ」，「ュ」，「ョ」といった拗音を表す仮名文字と、「ッ」といった促音を表す仮名文字の他、「ー」といった長音符号や、空白が含まれる。
【００２０】
この入力装置の操作例について、図４を用いて説明する。例えば、要素選択キー３を押すと、「ア」→「イ」→「ウ」…のように順番に要素が１字ずつ送られる。また、要素選択キー２を押すと、「ン」→「ヲ」→「ワ」…のように要素選択キー３を押す際の順番とは反対に要素が１字ずつ送られる。
【００２１】
また、要素選択キー３を２秒以上長押しし続けた場合には、「ア」→「カ」→「サ」…のように順番に要素を５字ずつ（即ち、一行ずつ）送ることができ、また、要素選択キー２を２秒以上長押しし続けた場合に「モ」→「ホ」→「ノ」…のように要素選択キー３を押す際の順番とは反対に要素を５字ずつ（即ち、一行ずつ）送ることができる。
【００２２】
そして、１つの要素の選択が完了した場合、位置選択キー５を押すごとに次の位置の要素を選択し入力可能とする。また、位置選択キー４を押せば、前の入力位置に移動して、一度入力した要素の修正（再選択）が可能である。全ての位置にて要素の選択が完了したら、決定キー６にてその設定内容を確定させる。
【００２３】
かかる入力装置によれば、同じキーにて、押している時間の条件によって操作内容を変えることができるため、少ないキーでも選択したい文字までの送り時間を短くすることができる。
【実施例２】
【００２４】
次に、実施例２に係る入力装置に関して説明する。この入力装置は、数字を要素として含むコード表に従って要素を入力可能である。なお、この入力装置は、例えば故障の際に操作端末に連絡先の電話番号を表示することが可能な給湯機において、予め連絡先の電話番号を登録する際に用いられる。
【００２５】
この入力装置に用いられるコード表は、図５に示すものであり、数字を要素として含む数字コード表である。具体的には、数字コード表には、０〜９の数字の他、「−」や、空白が含まれる。
【００２６】
そして、前記要素選択キー２，３を前記所定の条件で操作すると、要素をコード表の順番に従って選択可能であり、前記要素選択キー２，３を前記所定の条件とは異なる条件で操作すると、現在選択されている要素から一つ以上離れた要素を選択可能である。
【００２７】
この入力装置の操作例について説明すると、例えば、要素選択キー３を押すと、「０」→「１」→「２」…のように順番に要素が１字ずつ送られる。また、要素選択キー２を押すと、「９」→「８」→「７」…のように要素選択キー３を押す際の順番とは反対に要素が１字ずつ送られる。
【００２８】
また、要素選択キー３を２秒以上長押しし続けた場合には、「０」→「５」→「−」…のように順番に要素が５字ずつ送られる。また、要素選択キー２を２秒以上長押しし続けた場合には、「−」→「５」→「０」…のように要素選択キー３を押す際の順番とは反対に要素が５字ずつ送られる。
【００２９】
そして、１つの要素の選択が完了した場合、位置選択キー５を押すごとに次の位置の要素を選択し入力可能とする。また、位置選択キー４を押せば、前の入力位置に移動して、一度入力した要素の修正（再選択）が可能である。全ての位置にて要素の選択が完了したら、決定キー６にてその設定内容を確定させる。
【００３０】
かかる入力装置によれば、同じキーにて、押している時間の条件によって操作内容を変えることができるため、少ないキーでも選択したい文字までの送り時間を短くすることができる。
【実施例３】
【００３１】
次に、実施例３に係る入力装置に関して説明する。この入力装置には、前記要素として仮名文字を入力可能な仮名文字入力モードと、前記要素として数字を入力可能な数字入力モードとが設けられる。
【００３２】
この入力装置では、仮名文字入力モードでは実施例１に示す仮名コード表が用いられ、数字入力モードでは、実施例２に示す数字コード表が用いられる。
【００３３】
かかる入力装置によれば、仮名文字入力モードと数字入力モードとが設けられる場合であっても位置選択キー４，５及び要素選択キー２，３の操作が共通しているため、操作者が混乱するのを防止することができ、入力装置の操作性を向上させることができる。
【００３４】
なお、本発明に係る入力装置は、上記実施形態に限定されるものではなく、発明の趣旨を逸脱しない範囲内で種々の変更が可能である。
【００３５】
例えば、上記実施形態では、位置選択キー及び要素選択キーをそれぞれ二つずつ備えるものとして説明したが、これに限定されるものではなく、位置選択キー又は要素選択キーの少なくとも一方が一つのみ設けられるものであってもよい。
【００３６】
また、上記実施形態では、入力装置は、給湯機の操作端末に備えられるものとして説明したが、これに限定されるものではなく、空気調和機の操作端末に備えられるものであってもよい。また、本発明に係る入力装置は、文字等の要素の入力のために割り当てられるキーが少ない場合に特に好適であるが、これに限定されるものではなく、文字等の要素の入力に割り当てられるキーの多寡にかかわらず様々な入力装置に採用することができる。
【００３７】
また、上記実施形態では、入力装置は、いわゆる十字キーを有するものとして説明したが、これに限定されるものではなく、位置選択キー又は要素選択キーが直線状に並んで設けられるものであってもよい。
【００３８】
また、前記所定の条件とは、要素選択キーを所定の時間（例えば２秒）より短い時間押すことであり、前記所定の条件とは異なる条件とは、要素選択キーを所定の時間（例えば２秒）以上押す、いわゆる長押しを行うことであるとして説明したが、これに限定されるものではなく、キーを押す時間以外にも、押圧力の強弱を条件とするものであってもよい。
【００３９】
また、実施例１では、前記要素選択キー２，３を前記所定の条件とは異なる条件で操作すると、現在選択されている仮名文字が属する行の隣の行に属する仮名文字（即ち、５文字後の文字）を選択可能に構成されるものとして説明したが、これに限定されるものではなく、間に一つ以上の文字を挟んで別の文字を選択可能なものであればよい。
【００４０】
また、前記コード表は、種々の要素を含むものであってよく、例えば、仮名コード表の中に要素として数字が含まれるものであってもよい。また、実施例３のように仮名文字と数字とが入力可能なものであっても、一つのコード表を用いるものであってもよい。
【００４１】
また、上記実施例では、入力装置は、仮名文字や数字を入力可能なものとして説明したが、これに限定されるものではなく、例えば、英文字を入力可能なものであってもよい。さらにこの場合には、英文字コード表を別途備えるものであってもよく、一つのコード表に仮名文字や数字等の他の要素が含まれるものであってもよい。
【符号の説明】
【００４２】
１  表示部
２，３  要素選択キー
４，５  位置選択キー
６  決定キー
【図１】
2012067963.tif 000003
【図２】
2012067963.tif 000004
【図３】
2012067963.tif 000005
【図４】
2012067963.tif 000006
【図５】
2012067963.tif 000007